(57)【要約】【課題】  伝送路の障害時に、ループ状のネットワークに接続されている中継局や、中継局に収容されている基地局を迅速に再立ち上げする。【解決手段】  分岐ネットワークにおける分岐伝送路Ｌ２に障害が発生した際に、第３中継局１３〜第６中継局１６および基地局Ｂないし基地局Ｇに内蔵するクロック装置を自走させ、その自走クロックを用いてネットワークセンタ１０間のパスの再設定処理を行う。ネットワークセンタ１０から供給された基準クロックにより第６中継局１６のクロック装置が従属同期するだけで第６中継局１６は立ち上がり、次いで第５中継局１５から基地局Ｂへの順で従属同期が確立していき、ネットワーク全体が迅速に立ち上がるようになる。【選択図】  図１
2005197933.tif 000002
【特許請求の範囲】
【請求項１】
ネットワークセンタと複数の中継局とをループ状に接続する伝送路を有し、隣接する前記中継局間に複数の基地局を収容する分岐ネットワークを備えさせることが可能とされているネットワークであって、
前記中継局および前記基地局には、前段から入力された基準クロックに基づいてクロック装置の従属同期を行うと共に同期の確立したクロックを基準クロックとして後段へ出力し、前記クロック装置から供給されるクロックを用いて前記ネットワークセンタ間のパスの設定を行う伝送手段が備えられており、
前記伝送路に障害が生じた際に、基準クロックが供給されなくなった前記中継局あるいは前記基地局における前記クロック装置を自走させることにより、前記伝送手段において障害が生じた伝送路を迂回する前記ネットワークセンタ間のパスの再設定を行うようにしたことを特徴とするネットワーク。
【発明の詳細な説明】
【技術分野】
【０００１】
本発明は、ループ状のネットワークに接続されている中継局や、中継局間に設けられた分岐ネットワークに収容されている基地局における伝送路障害時の再立ち上げに関する。
【背景技術】
【０００２】
出願人は、特願２００２−１６６９２７号として図３に示す構成の広域ループネットワークを出願している。
図３に示す構成の広域ループネットワークは、ネットワークセンタ１００，第１中継局１１１，第２中継局１１２，第３中継局１１３，第４中継局１１４，第５中継局１１５，第６中継局１１６の間を、高速伝送可能な光ファイバからなる伝送路ＴＬ１，伝送路ＴＬ２，伝送路ＴＬ３，伝送路ＴＬ４，伝送路ＴＬ５，伝送路ＴＬ６，伝送路ＴＬ７によりループ状に接続して構成されている。ネットワークセンタ１００と第１中継局１１１ないし第６中継局１１６は、各地域毎に設置されて広域ループネットワークとされている。ただし、伝送路ＴＬ１〜ＴＬ７は双方向伝送路とされている。この広域ループネットワークは、正常時にはネットワークセンタ１００→第１中継局１１１→第２中継局１１２→第３中継局１１３→第４中継局１１４→第５中継局１１５→第６中継局１１６の左回り経路が伝送路とされており、いずれかの伝送路に障害が生じた障害時には、障害が生じた伝送路の手前までの中継局とネットワークセンタ１００間のパスは維持されるが、障害が生じた伝送路の後ろ側の中継局とネットワークセンタ１００間のパスは右回りのパスになるように各中継局において再設定される。
【０００３】
これらのネットワークセンタ１００ないし第６中継局１１６における隣接する中継局間あるいはネットワークセンタ１００と中継局間には、複数の携帯電話網における基地局を収容する分岐ネットワークを設けることができる。図３では第２中継局１１２と第３中継局１１３の間に分岐ネットワークが設けられている。この分岐ネットワークに基地局Ａ，基地局Ｂ，基地局Ｃ，基地局Ｄ，基地局Ｅ，基地局Ｆ，基地局Ｇが収容されるよう、第２中継局１１２と第３中継局１１３および各基地局の間が分岐伝送路Ｌ１，分岐伝送路Ｌ２，分岐伝送路Ｌ３，分岐伝送路Ｌ４，分岐伝送路Ｌ５，分岐伝送路Ｌ６，分岐伝送路Ｌ７，分岐伝送路Ｌ８により接続されている。ただし、分岐伝送路Ｌ１〜Ｌ８は双方向伝送路とされている。なお、基地局Ａないし基地局Ｇは、第２中継局１１２と第３中継局１１３の近傍に存在するセルにそれぞれ配置されており、それぞれのセルに在圏している携帯電話機が当該セルの基地局に収容されている。
【０００４】
図３に示す分岐ネットワークは、正常時には第２中継局１１２→基地局Ａ→基地局Ｂ→基地局Ｃ→基地局Ｄ→基地局Ｅ→基地局Ｆ→基地局Ｇ→第３中継局１１３の左回り経路が伝送路とされており、いずれかの分岐伝送路に障害が生じた障害時には、障害が生じた分岐伝送路の手前までの基地局とネットワークセンタ１００間のパスは維持されて第２中継局１１２間の伝送路は維持されるが、障害が生じた分岐伝送路の後ろ側の基地局とネットワークセンタ１００間のパスは右回りのパスになるように各基地局において再設定されることにより、各基地局と第３中継局１１３間の伝送路が確立される。
【０００５】
日本の伝送路におけるクロック供給は、東日本電信電話株式会社の大手町電話局にあるクロック原器からスタートしており、国内の通信事業者のすべての伝送装置は、何らかのルートを経由して必ずクロック原器に従属同期している。図３に示す広域ループネットワークにおいても、クロック原器に基づく基準クロックがネットワークセンタ１００から第１中継局１１１ないし第６中継局１１６および基地局Ａないし基地局Ｇに順次供給されることにより、内蔵されているクロック装置が従属同期されている。すなわち、ネットワークセンタ１００から供給された基準クロックに基づいて第１中継局１１１は従属同期され、第１中継局１１１から供給された同期が確立した基準クロックに第２中継局１１２は従属同期され、以降同様にして、第５中継局１１５から供給された同期が確立した基準クロックに第６中継局１１６は従属同期されている。また、第２中継局１１２から供給された同期が確立した基準クロックに基地局Ａは従属同期され、基地局Ａから供給された同期が確立した基準クロックに基地局Ｂは従属同期され、以降同様にして、基地局Ｆから供給された同期が確立した基準クロックに基地局Ｇは従属同期されている。
【０００６】
ところで、図３に示すように基地局Ａと基地局Ｂとを接続している分岐伝送路Ｌ２が障害を起こした際には、基地局Ａには第２中継局１１２から基準クロックが依然として供給されるため基地局Ａは動作可能とされるが、基地局Ａから基地局Ｂへは基準クロックを供給することが出来なくなることから基地局Ｂ以降は動作することが出来ないようになる。そこで、基準クロックが供給されなくなった中継局および基地局はネットワークセンタ１００間のパスの再設定処理を行うことにより再立ち上げを行う必要があるが、中継局および基地局はクロックに基づいて動作しているため再立ち上げは基準クロックが供給されて再設定処理が完了することが条件となる。すなわち、第６中継局１１６の再立ち上げを行う際には、ネットワークセンタ１００から基準クロックが供給されているため、この基準クロックにクロック装置が従属同期するようになる。そして、この同期したクロックを用いて右回りとなるネットワークセンタ１００間のパスの再設定処理を完了することにより最初に立ち上げられる。立ち上げられた第６中継局１１６は、パス情報に基づいて基準クロックを後段の第５中継局１１５へ供給するようになる。第５中継局１１５では供給された基準クロックに従属同期した際に、右回りとなるネットワークセンタ１００間のパスの再設定処理が行われる。これにより立ち上げられた第５中継局１１５は基準クロックを第４中継局１１４に供給する。以降同様に第４中継局１１４、第３中継局１１３の順で従属同期処理および右回りとなるネットワークセンタ１００間のパスの再設定処理が行われ、これらの中継局が順次立ち上げられるようになる。
【０００７】
次いで、立ち上げられた第３中継局１１３から基地局Ｇへ基準クロックが供給されるようになり、基地局Ｇは供給された基準クロックを用いた従属同期処理および右回りとなるネットワークセンタ１００間のパスの再設定処理を行い立ち上げられる。さらに、立ち上げられた基地局Ｇから基地局Ｆへ基準クロックが供給されるようになり、基地局Ｆは供給された基準クロックを用いた従属同期処理および右回りとなるネットワークセンタ１００間のパスの再設定処理を行い立ち上げられる。以降同様に基地局Ｅ，基地局Ｄ，基地局Ｃの順で従属同期処理および右回りとなるネットワークセンタ１００間のパスの再設定処理が行われ、これらの基地局が順次立ち上げられるようになる。最後に立ち上げられた基地局Ｃから供給された基準クロックを用いた従属同期処理および右回りとなるネットワークセンタ１００間のパスの再設定処理が基地局Ｂで行われ、全ての中継局および基地局が立ち上げられるようになる。このように基地局Ｂが立ち上げられるのは、第６中継局１１６→第５中継局１１５→第４中継局１１４→第３中継局１１３→基地局Ｇ→基地局Ｆ→基地局Ｅ→基地局Ｄ→基地局Ｃが立ち上げられてからということになって、最後の基地局Ｂが立ち上げられるまでに非常に時間がかかるという問題点があった。
【発明の開示】
【発明が解決しようとする課題】
【０００８】
そこで、本発明は、伝送路の障害時に、ループ状のネットワークに接続されている中継局や、中継局間に設けられた分岐ネットワークに中継局に収容されている基地局を迅速に再立ち上げすることのできるネットワークを提供することを目的としている。
【課題を解決するための手段】
【０００９】
本発明は、基準クロックが供給されなくなった中継局あるいは基地局におけるクロック装置を自走させることにより、当該中継局および基地局において障害が生じた伝送路を迂回するネットワークセンタ間のパスの再設定を行うようにしたことを最も主要な特徴としている。
【発明の効果】
【００１０】
本発明のネットワークは、基準クロックが供給されなくなった中継局あるいは基地局におけるクロック装置を自走させて障害が生じた伝送路を迂回するネットワークセンタ間のパスの再設定を行うようにしたので、再立ち上げが完了するまでの時間を大幅に短縮することが出来る。
【発明を実施するための最良の形態】
【００１１】
伝送路の障害時に、ループ状のネットワークに接続されている中継局や、中継局に収容されている基地局を迅速に再立ち上げるという目的を、基準クロックが供給されなくなった中継局あるいは基地局におけるクロック装置を自走させて障害が生じた伝送路を迂回するネットワークセンタ間のパスの再設定を行うことで実現した。
【００１２】
本発明の実施例のネットワークの概略構成を図１に示し、分岐ネットワークの構成を図２に示す。
図１に示すように、本発明にかかるネットワークは、ネットワークセンタ１０，第１中継局１１，第２中継局１２，第３中継局１３，第４中継局１４，第５中継局１５，第６中継局１６の間を、高速伝送可能な光ファイバからなる伝送路ＴＬ１，伝送路ＴＬ２，伝送路ＴＬ３，伝送路ＴＬ４，伝送路ＴＬ５，伝送路ＴＬ６，伝送路ＴＬ７によりループ状に接続して構成されている。ネットワークセンタ１０と第１中継局１１ないし第６中継局１６は、各地域毎に設置されて広域ループのネットワークとされている。この広域ループのネットワークは、正常時にはネットワークセンタ１０→第１中継局１１→第２中継局１２→第３中継局１３→第４中継局１４→第５中継局１５→第６中継局１６の左回り経路が伝送路とされており、いずれかの伝送路に障害が生じた障害時には、障害が生じた伝送路の手前までの中継局には左回りの経路でネットワークセンタ１０間の伝送路が確立され、障害が生じた伝送路の後ろ側の中継局までは右回りの経路でネットワークセンタ１０間の伝送路が確立される。ただし、伝送路は双方向である。
【００１３】
これらのネットワークセンタ１０ないし第６中継局１６における隣接する中継局間あるいはネットワークセンタ１０と中継局間には、複数の携帯電話網における基地局を収容する分岐ネットワークを設けることができるようにされている。図１では第２中継局１２と第３中継局１３の間に分岐ネットワークが設けられている。この分岐ネットワークに基地局Ａ，基地局Ｂ，基地局Ｃ，基地局Ｄ，基地局Ｅ，基地局Ｆ，基地局Ｇが収容されるよう、第２中継局１２と第３中継局１３および各基地局の間が分岐伝送路Ｌ１，分岐伝送路Ｌ２，分岐伝送路Ｌ３，分岐伝送路Ｌ４，分岐伝送路Ｌ５，分岐伝送路Ｌ６，分岐伝送路Ｌ７，分岐伝送路Ｌ８により接続されている。なお、基地局Ａないし基地局Ｇは、第２中継局１２と第３中継局１３の近傍に設けられているセルにそれぞれ配置されており、それぞれのセルに在圏している携帯電話機が当該セルの基地局に収容されている。
【００１４】
図１に示す分岐ネットワークは、正常時には第２中継局１２→基地局Ａ→基地局Ｂ→基地局Ｃ→基地局Ｄ→基地局Ｅ→基地局Ｆ→基地局Ｇ→第３中継局１３の左回り経路が伝送路とされており、いずれかの分岐伝送路に障害が生じた障害時には、障害が生じた分岐伝送路の手前までの基地局には左回りの経路で第２中継局１２間の伝送路が確立され、第３中継局１３から障害が生じた分岐伝送路の後ろ側の基地局までは右回りの経路で伝送路が確立される。ただし、伝送路は双方向である。
【００１５】
図１に示す本発明にかかるネットワークにおける第１中継局１１ないし第６中継局１６および基地局Ａないし基地局Ｇは、東日本電信電話株式会社の大手町電話局にあるクロック原器に従属同期するようにされている。このため正常時においては、ネットワークセンタ１０から供給されたクロック原器に基づく基準クロックに基づいて第１中継局１１は従属同期が確立され、第１中継局１１から供給された同期の確立されている基準クロックにより第２中継局１２は従属同期が確立され、以降同様にして、第５中継局１１５から供給された同期が確立されている基準クロックにより第６中継局１６は従属同期されている。また、第２中継局１２から供給された同期が確立されている基準クロックにより基地局Ａは従属同期が確立され、基地局Ａから供給された同期が確立されている基準クロックにより基地局Ｂは従属同期が確立され、以降同様にして、基地局Ｆから供給された同期が確立されている基準クロックにより基地局Ｇは従属同期が確立されている。
【００１６】
分岐ネットワークの一部の詳細構成を図２に示す。図２には、基地局Ｅないし基地局Ｇの構成が示されている。
基地局Ａないし基地局Ｇは同様の構成とされており、基地局Ｆを代表としてその構成を説明する。基地局Ｆは、図２に示すように、基地局Ｅとの間を接続する分岐伝送路Ｌ６が接続されていると共に、基地局Ｇとの間を接続する分岐伝送路Ｌ７が接続されている伝送装置Ｆと、伝送装置Ｆに接続されている無線機Ｆとから構成されている。無線機Ｆは、基地局Ｆのセルに在圏している携帯電話機との間で無線回線により送受信を行うための無線機である。伝送装置Ｆは、従属同期によりクロック同期が確立されるクロック装置Ｆと、クロック装置Ｆから供給されるクロックにより動作する送受信装置Ｆから構成されている。送受信装置Ｆは、正常時には無線機Ｆから基地局Ｆのセルに在圏している携帯電話機へ送信する基地局Ｆへのデータを分岐伝送路Ｌ６を介して伝送されてきたデータ中から抽出して無線機Ｆへ送り出すと共に、無線機Ｆが受信したネットワークセンタ１０へのデータを無線機Ｆから受けて、基地局Ｆへのデータを抽出した後の伝送データに合成して分岐伝送路Ｌ７に送り出している。また、送受信装置Ｆは前段である基地局Ｅから供給された基準クロックを取り出してクロック装置Ｆへ供給している。これにより、クロック装置Ｆが供給された基準クロックに従属同期するようになる。そして、送受信装置Ｆはクロック装置Ｆの従属同期が確立していることを条件に、クロック装置Ｆから供給されているクロックを基準クロックとして後段の基地局Ｇに供給している。
【００１７】
ところで、図１に示すように基地局Ａと基地局Ｂとを接続している分岐伝送路Ｌ２が障害を起こした際には、基地局Ａには第２中継局１２から基準クロックが依然として供給されるため基地局Ａは動作可能とされるが、基地局Ａから基地局Ｂへは基準クロックを供給することが出来なくなることから基地局Ｂ以降は動作することが出来ないようになる。そこで、基準クロックが供給されなくなった中継局および基地局はネットワークセンタ１０間のパスの再設定処理を行うことにより再立ち上げを行う必要がある。本発明においては、中継局および基地局はクロック装置を自走させてその自走クロックを用いてネットワークセンタ１０間のパスの再設定処理を行うようにしている。この場合、第１中継局１１、第２中継局１２および基地局Ａは障害が発生する前と同じ左回りのパスが維持されている。すなわち、基地局Ａはネットワークセンタ１０−伝送路ＴＬ１−第１中継局１１−伝送路ＴＬ２−第２中継局１２−分岐伝送路Ｌ１の経路で伝送データを受け取るようになる。
【００１８】
しかし、残る中継局および基地局は基地局Ａと基地局Ｂとを接続している分岐伝送路Ｌ２が障害を起こしているため、左回りのパスではネットワークセンタ１０から伝送データおよび基準クロックを受信することができず、右回りのパスがそれぞれ設定されるようになる。例えば、基地局Ｇにはネットワークセンタ１０−伝送路ＴＬ７−第６中継局１６−伝送路ＴＬ６−第５中継局１５−伝送路ＴＬ５−第４中継局１４−伝送路ＴＬ４−第３中継局１３−分岐伝送路Ｌ８のパスが設定されて、立ち上げられるようになる。また、基地局Ｂにはネットワークセンタ１０−伝送路ＴＬ７−第６中継局１６−伝送路ＴＬ６−第５中継局１５−伝送路ＴＬ５−第４中継局１４−伝送路ＴＬ４−第３中継局１３−分岐伝送路Ｌ８−基地局Ｇ−分岐伝送路Ｌ７−基地局Ｆ−分岐伝送路Ｌ６−基地局Ｅ−分岐伝送路Ｌ５−基地局Ｄ−分岐伝送路Ｌ４−基地局Ｃ−分岐伝送路Ｌ３のパスが設定されて、立ち上げられるようになる。このように、基準クロックが供給されない中継局や基地局においては、クロック装置を自走させてその自走クロックを用いて再立ち上げ処理を行い、その後に前段から供給された基準クロックによりクロック装置を従属同期するようにしている。以下、その説明を行う。
【００１９】
再立ち上げを行う際に、第３中継局１３ないし第６中継局１６および基地局Ｂないし基地局Ｇは内蔵するクロック装置が自走するようになり、この自走クロックを用いて上記した障害が発生した分岐伝送路Ｌ２を迂回する右回りのネットワークセンタ１０間のパスの設定処理が行われる。この場合、ネットワークセンタ１０から第６中継局１６へは基準クロックが供給される状態となっているため、第６中継局１６は供給された基準クロックにクロック装置を従属同期させる。これにより、ネットワークセンタ１０間のパスの設定処理が行われている第６中継局１６の再立ち上げは完了し、パス情報に基づいて基準クロックを第５中継局１５へ供給する。第５中継局１５においては、既にネットワークセンタ１０間のパスの設定処理が行われているため、供給された基準クロックにクロック装置を従属同期させる短時間の同期処理が行われるだけで再立ち上げが完了し、パス情報に基づいて基準クロックを第４中継局１４へ供給する。以降同様に第４中継局１４、第３中継局１３の順で従属同期処理が行われるだけで再立ち上げが完了し、パス情報に基づいて基準クロックを後段へ供給するようになる。
【００２０】
そして、立ち上げられた第３中継局１３から基地局Ｇへ基準クロックが供給されるようになるが、基地局Ｇにおいては、既にネットワークセンタ１０間のパスの設定処理が行われているため、供給された基準クロックにクロック装置を従属同期させる短時間の同期処理が行われるだけで再立ち上げが完了し、パス情報に基づいて基準クロックを基地局Ｆへ供給する。基地局Ｆにおいても、既にネットワークセンタ１０間のパスの設定処理が行われているため、基地局Ｇから供給された基準クロックにクロック装置を従属同期させる短時間の同期処理が行われるだけで再立ち上げが完了し、パス情報に基づいて基準クロックを基地局Ｅへ供給する。以降同様に基地局Ｄ、基地局Ｃの順で従属同期処理が行われるだけで再立ち上げが完了し、パス情報に基づいて基準クロックを後段へ供給するようになる。基準クロックが基地局Ｃから供給されるようになった基地局Ｂにおいては、既にネットワークセンタ１０間のパスの設定処理が行われているため、供給された基準クロックにクロック装置を従属同期させる短時間の同期処理が行われるだけで再立ち上げが完了し、これによりネットワークの全体の再立ち上げが完了するようになる。
【００２１】
以上説明したように、本発明のネットワークにおいては内蔵するクロック装置を自走させて、その自走クロックによりネットワークセンタ１０間のパスの再設定処理を行うようにしたので、わずかな時間で完了されるクロック装置の従属同期が順次確立することにより再立ち上げが完了するようになり、再立ち上げが完了するまでの時間を大幅に短縮することが出来る。
【図面の簡単な説明】
【００２２】
【図１】本発明の実施例のネットワークの概略構成を示す図である。
【図２】本発明の実施例のネットワークにおける分岐ネットワークの一部の詳細構成を示す図である。
【図３】従来のネットワークの概略構成を示す図である。
【符号の説明】
【００２３】
１０  ネットワークセンタ
１１  第１中継局
１２  第２中継局
１３  第３中継局
１４  第４中継局
１５  第５中継局
１６  第６中継局
１００  ネットワークセンタ
１１１  第１中継局
１１２  第２中継局
１１３  第３中継局
１１４  第４中継局
１１５  第５中継局
１１６  第６中継局
Ａ  基地局
Ｂ  基地局
Ｃ  基地局
Ｄ  基地局
Ｅ  基地局
Ｆ  基地局
Ｇ  基地局
Ｌ１，Ｌ２，Ｌ３，Ｌ４，Ｌ５，Ｌ６，Ｌ７，Ｌ８  分岐伝送路
ＴＬ１，ＴＬ２，ＴＬ３，ＴＬ４，ＴＬ５，ＴＬ６，ＴＬ７  伝送路
【図１】
2005197933.tif 000003
【図２】
2005197933.tif 000004
【図３】
2005197933.tif 000005